(57)【要約】      （修正有）【課題】生体の飼育、育成に好適な自然光の再現を可能とするビバリウム用小型照明装置を提供する。【解決手段】ＬＥＤ素子を備えた光源部１１で筐体内及び筐体外を照射し、前記光源部１１は、前記筐体の壁面を介して１対の磁極を有する磁性材料で磁着する挟持部１５で固定し、前記光源部１１は、前記挟持部１５で固定された状態で、回動自在に角度調節ができる角度調節部１４を有するビバリウム用小型照明装置であり、前記角度のほか、調光、調色の調節も可能とし、さらに、角度、調光、調色を任意の時間設定により、自然光に近い変化を再現する自動制御を可能とする。【選択図】図１
2019022457.tif 000002
【特許請求の範囲】
【請求項１】
観賞魚、観賞植物等の生体を飼育・育成する筐体に取り付けるビバリウム用小型照明装置であって、
前記筐体内及び筐体外を照射可能なＬＥＤ素子を備えた光源部と、
少なくとも、前記光源の外周及び背面を保持するホルダー部と、
可撓性を有し、前記光源の背面から前記ホルダー部を介して延出し、前記光源に電源を供給するリード線部と、
１対の磁極を有する磁性材料から成り、一方が、前記ホルダー部と連接され、他方が前記ホルダー部の前記リード線の延出部から所定間隔離間した位置で前記リード線上に摺動可能に設置され、前記筐体の壁面を介して双方の磁性材料が磁気吸着力により磁着する挟持部と、
前記連接部分に設けられ、前記光源部の照射を任意の角度で保持可能に前記ホルダー部を回動自在とする角度調節部と、
を有することを特徴とするビバリウム用小型照明装置。
【請求項２】
前記光源部の背面に着脱自在な放熱部を設けたことを特徴とする請求項１記載のビバリウム用小型照明装置。
【請求項３】
前記角度調節部は、前記回動を摩擦力により抑制するトルクヒンジであることを特徴とする請求項１又は請求項２記載のビバリウム用小型照明装置。
【請求項４】
前記トルクヒンジの軸部は、ホルダー部の前記回動域外に前記連接された挟持部の一方の磁性材料の位置を配設するために、少なくとも、前記ホルダー部及び前記一方の磁性材料の各回動軸を合わせた長さを備えていることを特徴とする請求項３記載のビバリウム用小型照明装置。
【請求項５】
前記挟持部は、曲面に対して密着可能に磁着する可撓性材料から構成されていることを特徴とする請求項１から請求項４までのいずれか１項に記載のビバリウム用小型照明装置。
【請求項６】
前記光源部の照射強度を調節する調光部を有することを特徴とする請求項１から請求項５までのいずれか１項に記載のビバリウム用小型照明装置。
【請求項７】
前記光源部は、ＲＧＢ各色を発光するＬＥＤ素子を有し、照射光の色を任意に変更可能な調色部を有することを特徴とする請求項１から請求項６までのいずれか１項に記載のビバリウム用小型照明装置。
【請求項８】
前記光源部は、ＲＧＢ各色を発光する単色のＬＥＤ素子を有する複数の光源を複数同期接続したものから成り、各色を任意の角度で合成可能に構成されたものであることを特徴とする請求項１から請求項６までのいずれか１項に記載のビバリウム用小型照明装置。
【請求項９】
前記角度調節部を任意の時間に、任意に設定した角度で調整可能な自動制御部を有することを特徴とする請求項１から請求項８までのいずれか１項に記載のビバリウム用小型照明装置。
【請求項１０】
前記調光部を任意の時間に、任意の照射強度で調整可能な自動制御部を有することを特徴とする請求項１から請求項８までのいずれか１項に記載のビバリウム用小型照明装置。
【請求項１１】
前記調色部を任意の時間に、任意の照射色で調整可能な自動制御部を有することを特徴とする請求項１から請求項８までのいずれか１項に記載のビバリウム用小型照明装置。
【請求項１２】
前記光源部の温度を計測する温度センサを備え、所定の温度に達したときに、前記電源の供給を遮断又は／及び光量を減光する遮断・減光制御部を有することを特徴とする請求項１から請求項１１までのいずれか１項に記載のビバリウム用小型照明装置。
【請求項１３】
前記リード線に代えて、ワイヤレス給電部を設け、前記挟持部を構成する他方の磁性材料は、前記筐体壁面を介して、単体で前記ホルダー部と連接された他方の磁性材料と磁着するように構成されたことを特徴とする請求項１から請求項１２までのいずれか１項に記載のビバリウム用小型照明装置。
【請求項１４】
前記自動制御部の駆動源が、ワイヤレス給電部であることを特徴とする請求項９から請求項１２までのいずれか１項に記載のビバリウム用小型照明装置。
【発明の詳細な説明】
【技術分野】
【０００１】
本発明は、観賞魚、観賞植物等の生体を飼育・育成する筐体に取り付けるビバリウム用小型照明装置に関するものである。
【背景技術】
【０００２】
海水魚、淡水魚又はサンゴなどの生体を飼育する設備を「アクアリウム」、陸上の生物、植物を飼育する設備を「テラリウム」、両者を混在させて飼育する設備を「アクアテラリウム」というが、一般に、これら生体の飼育、育成する設備を総称して「ビバリウム」という。「ビバリウム」は、通常、ガラス、アクリルなどの透明素材から成る筐体として形成されている。
【０００３】
かかる筐体では、自然界よりも狭い環境で前記生体を飼育、育成する必要があるため、より自然に近い環境を人工的に設定する必要がある。そして、前記筐体は、通常、室内に設置されるため、前記自然環境の設定において、太陽光に代わる照明装置は、重要な人工的環境設備になる。
【０００４】
例えば、アクアリウム（水槽）を例にとると、一般的な照明装置としては、上面から蛍光管などの照明器具を設置し、蛍光管と、水槽上面半分の領域との間に硝子板を介在させ、照明器具に水滴がつかないようにしている。
【０００５】
しかし、前記形態の水槽では、照明器具によって水槽内に熱がこもり、水温上昇により、自然環境の形成を阻害するとともに、前記硝子板の存在により、給餌や水槽内メンテナンス時に作業の障害となる可能性があった。
【０００６】
そこで、従来、相対向する鑑賞用水槽の縁に対して着脱自在に固定し得る一対のクランプ台と、該各クランプ台に固定されるスタンドと、該各スタンド間を連結する台座と、該台座に対して取付けられるハロゲンランプ等の点光源とを具備した照明装置が提案されていた（例えば、特許文献１参照。）。
【０００７】
この構成によれば、照明器具を、前記スタンドを介して水槽の上方に空間を設けた配置としたことにより、水滴からの照明器具の保護を図れると共に、熱による水温の上昇を防止でき、さらに、光源が点光源であることから波の揺らぎが水底に映り見栄えがよく演出効果を奏する。
【０００８】
また、照明器具の固定装置として、照明器具を支持した、吸盤に永久磁石を設け、また水槽内に進入させた防水性保持具に磁性部材を埋設し、吸盤を水槽の側壁外面に吸着保持し、永久磁石と磁性部材を、水槽の側壁を挟んで結合させる固定装置が提案されていた（例えば、特許文献２参照。）。
【０００９】
照明器具の固定設置に、水槽の側壁の一部のみを占有するだけであるため、前記一般的な照明器具に比べて、水槽上面を開放し、好適な環境設定に資すると考えられる。
【先行技術文献】
【特許文献】
【００１０】
【特許文献１】実開平７−３００４９号公報
【特許文献２】特開２００７−６８４８２号公報
【発明の概要】
【発明が解決しようとする課題】
【００１１】
しかし、前記特許文献１にかかる先行技術は、クランプ台、スタンド及び台座などのランプ取り付け器具を要し、水槽上面から一定の空間を要する構成となっているため、設置環境に制約があった。また、光源としてハロゲンランプを使用しており、水面から所定空間が設けられているとはいえ、依然として水温上昇をもたらすおそれがあり、考案の目的も、生体に対する好環境を提供するというよりも、美観を演出することに重きを置いたものであるため、生体の飼育、育成に好適なものとは言えないという問題があった。
【００１２】
また、前記特許文献２にかかる先行技術は、取り付ける照明器具が依然として大きなものであり、一定の尺を有するアームを安定設置するために、水中に吸盤、磁性材料を取り付けなければならず、耐久性、付け替え等の煩雑性があるという問題があった。
【００１３】
そこで、本発明は、上記課題を解消させるためのものであり、前記筐体内の温度に影響を与えず、生体の飼育、育成に好適な自然光の再現を可能とするビバリウム用小型照明装置を提供することを目的とする。
【課題を解決するための手段】
【００１４】
上記目的を達成させるために、本発明にかかるビバリウム用小型照明装置は、ＬＥＤ素子を備えた光源部で筐体内及び筐体外を照射し、前記光源部は、前記筐体の壁面を介して１対の磁極を有する磁性材料で磁着する挟持部で固定し、前記光源部は、前記挟持部で固定された状態で、回動自在に角度調節ができる角度調節部を有することを最も主要な特徴とする。
【００１５】
すなわち、本発明に係るビバリウム用小型照明装置は、観賞魚、観賞植物等の生体を飼育・育成する筐体に取り付けるビバリウム用小型照明装置であって、
前記筐体内及び筐体外を照射可能なＬＥＤ素子を備えた光源部と、
少なくとも、前記光源の外周及び背面を保持するホルダー部と、
可撓性を有し、前記光源の背面から前記ホルダー部を介して延出し、前記光源に電源を供給するリード線部と、
１対の磁極を有する磁性材料から成り、一方が、前記ホルダー部と連接され、他方が前記ホルダー部の前記リード線の延出部から所定間隔離間した位置で前記リード線上に摺動可能に設置され、前記筐体の壁面を介して双方の磁性材料が磁気吸着力により磁着する挟持部と、
前記連接部分に設けられ、前記光源部の照射を任意の角度で保持可能に前記ホルダー部を回動自在とする角度調節部と、
を有することを特徴とする。
【００１６】
この構成によれば、ＬＥＤ素子を備えた光源から筐体内及び筐体外に照射されるため、筐体内の温度にほとんど影響を与えないとともに、所望の位置に照射可能に光源の角度を調節できるため、個々の設置環境に合わせた自然光の再現が可能となる。
【００１７】
なお、ＬＥＤ素子がいわゆるパワーＬＥＤの場合、照射によって筐体内に影響を与える温度上昇があるため、前記光源部の背面に着脱自在な放熱部を設ける構成としてもよい。この場合は、放熱部は、放熱板によるもののほか、電源から駆動力を供給して稼働するファンを備えたものであってもよい。
【００１８】
また、前記角度調節部は、前記回動を摩擦力により抑制するトルクヒンジであってもよい。さらに、前記トルクヒンジの軸部は、ホルダー部の前記回動域外に前記連接された挟持部の一方の磁性材料の位置を配設するために、少なくとも、前記ホルダー部及び前記一方の磁性材料の各回動軸を合わせた長さを備えたものとしてもよい。
【００１９】
この構成によれば、光源部の回動域内に磁性材料が配設されないため、磁性材料が、前記回動又は照射の障害にならないよう回避される。
【００２０】
前記挟持部は、曲面に対して密着可能に磁着する可撓性材料から構成されるものであってもよい。前記筐体によっては、壁面が曲面の場合もあるが、この構成によれば、かかる曲面を有する筐体であっても、磁着することが可能となる。
【００２１】
前記光源部は、調光部、調色部を各々有するものであってもよく、さらに、調光、調色を任意の時間で設定して制御する自動制御部を備えたものであってもよい。
【００２２】
この構成によれば、より自然光に近い照明を実現することができる。なお、前記自動制御部は、前記角度調節部も任意の時間設定によって、自動的に設定可能としてもよい。
【００２３】
前記光源部は、ＲＧＢ各色を発光する単色のＬＥＤ素子を有する複数の光源を同期接続したものから成り、各色を任意の角度で合成可能に構成したものであってもよい。
【００２４】
この構成によれば、より高度かつ自由度の高い調色効果が得られる。
【００２５】
前記光源部の温度を計測する温度センサを備え、所定の温度に達したときに、前記電源の供給を遮断又は／及び減光する遮断・減光制御部を有するものであってもよい。
【００２６】
この構成によれば、万一、前記放熱部が不具合等で作動しなくなった場合でも、光源部の照射を遮断するため、少なくとも、光源部による筐体内の温度上昇を阻止することが可能となる。
【発明の効果】
【００２７】
本発明に係るビバリウム用小型照明装置は、多様な形態の水槽等、筐体のどこにでも取り付け可能であり、角度等の調節が可能であるため、自然光に近い照明を実現し、飼育、育成する生体に好環境を提供できるという効果を奏する。
【００２８】
また、通常のビバリウム用照明装置に比して、極めて小型に形成されているため、全体の美観を損ねないという効果を奏する。
【００２９】
さらに、筐体で飼育、育成されている生体に対し、照明装置という自然界に存在しない装置を認識させない環境を提供するため、生体に与えるストレスを軽減するという効果を奏する。
【図面の簡単な説明】
【００３０】
【図１】図１は、本発明に係るビバリウム用小型照明装置の全体図である。
【図２】図２は、挟持部によって水槽壁面に取り付けた状態を示した図である。
【図３】図３は、光源部に取り付ける放熱部を示した図であり、（ａ）は、側面図、（ｂ）は、上面図である。
【図４】図４は、角度調節部の一形態を示した図である。
【図５】図５は、調光部の概略構成を示した模式図である。
【図６】図６は、自動制御部のブロック構成図である。
【図７】図７は、自動制御部の設定例を示したタイムチャート図である。
【図８】図８は、自動制御部の処理手順の例を示したフロー図である。
【発明を実施するための形態】
【００３１】
図１を参照して、１は、本発明に係るビバリウム用小型照明装置である。本実施の形態では、ビバリウムの具体例として、アクアリウム（観賞魚用の水槽）に設置するもので説明するが、これに限定する趣旨ではない。植物、観賞魚、両生類、その他比較的小型の陸生生物等の生体を育成、飼育する筐体（主に、ガラス、アクリルなど透明の素材から成るもの）であれば、適用可能である。
【００３２】
ビバリウム用小型照明装置１は、一端に前記筐体内及び筐体外に照射可能なＬＥＤ素子を備えた光源部１１と、光源部１１に電源を供給するリード線部１３を介して、他端に商用電源等の外部の電源に接続するアダプター用端子１７（ジャック）を有する。リード線部１３は、可撓性を有しており、ビバリウム用小型照明装置１の設置状況によって、部分的に屈曲、結束等して長さの調整が可能である。光源部１１は、発熱による生体への影響を抑えるため、ＬＥＤ照明を用いる。ＬＥＤ照明は、単色、複数色のいずれでもよく、通常のＬＥＤのほか、高出力のいわゆるパワーＬＥＤであってもよい。
【００３３】
光源部１１は、ホルダー部１２の台座部１２ａに、照射面を露出させた状態で、外周及び背面が嵌装設置されている。本実施の形態では、台座部１２ａは、前記嵌装部分が開口され、側断面形状が台形状に形成されている。台座部１２ａの下方、すなわち、光源部１１の背面側には、光源部１１とリード線部１３とを接続する部分を保護する円筒形のスリーブ１２ｃが設けられている。スリーブ１２ｃは、外周が螺刻されている。スリーブ１２ｃの上部から、リード線部１３の延出方向に対して直交方向に、板状のアーム１２ｂを固定突出させるために、アーム１２ｂのねじ孔（図示せず）に、スリーブ１２ｃを螺挿している。
【００３４】
アーム１２ｂの前記突出方向の端部は、光源部１１の照射角度を調節する角度調節部１４を介して、挟持部１５と回動自在に接続されている。角度調節部１４は、任意の角度で保持可能であり、具体的には、例えば、前記回動させた場合に、付勢手段によって摩擦力を発生させ、回動方向に働く力を抑制するトルクヒンジを利用すればよい。
【００３５】
挟持部１５は、第１磁性材料部１５ａ及び第１磁着部１５ｃと第２磁性材料部１５ｂ及び第２磁着部１５ｄとから構成され、両者は、１対の磁極となっている。図１で示す通り、挟持部１５が、水槽壁面を挟持していない状態の場合、アーム１２ｃは、第１磁性材料部１５ａ及び第１磁着部１５ｃのみと接続されている。一方、図２で示す通り、挟持部１５は、水槽Ａのガラス板、アクリル板などで構成されている壁面を介して、第１磁性材料部１５ａ及び第１磁着部１５ｃと第２磁性材料部１５ｂ及び第２磁着部１５ｄとが、前記磁性材料の磁気吸着力により磁着接続されると、一体的に挟持部１５として構成される。
【００３６】
なお、前記磁性材料は、水槽Ａの壁面を介在させて磁着部１５ｃ、１５ｄが磁気吸着力で磁着するものであれば限定はしないが、磁気吸着力が弱いと光源部１１の固定設置が困難になり、所望の角度での照射が維持できないだけでなく、水槽Ａの水Ｗに落下し、生体にストレスを与えるおそれもある。したがって、高い磁気特性を有するネオジウムが好適である。
【００３７】
本実施の形態では、第１磁性材料部１５ａ及び第１磁着部１５ｃと第２磁性材料部１５ｂと第２磁着部１５ｄは全体に剛性を有し、磁着面が平面に形成されたものであるが、水槽Ａの壁面は曲面を有するものもある。前記ネオジウムを使用すれば、多少の曲面であっても磁着可能であるが、曲率が高くなると、磁着力が弱くなる可能性もある。そこで、かかる曲面でも密着可能に磁着できるように、挟持部１５を可撓性材料で構成されたものとしてもよい。例えば、磁性材料を細分化し、前記曲面の曲率に沿ってカーブを形成できるように、前記各細分化された磁性材料を一体的に樹脂材などで被覆し、細分化された磁性材料単位で任意角に屈曲できるしてもよい。又は、前記磁性材料から磁石粉を生成し、樹脂又はゴムと混合したコンパウンドとし、これを磁着部として機能する形状に射出成形したものを使用するようにしてもよい。
【００３８】
第２磁着部１５ｂは、前記挟持するときに、第１磁着部１５ｃと磁着可能に正対する位置に向き合うように、カーブさせた突片状の摺動部１５ｅが設けられている。摺動部１５ｅは、中央が穿孔され（図示せず）、前記穿孔にリード線部１３が挿通されている。図２で示す通り、挟持部１５によって水槽Ａの壁面の所望の位置（本実施の形態では、水Ｗの水面より上の部分）で第１磁着部１５ｃと第２磁着部１５ｃとを前記壁面を介して正対させるため、ホルダー部１２と摺動部１５ｅとの距離は、摺動部１５ｅをリード線部１３上で摺動させることによって、所定間隔離間させることが可能であり、任意に位置決めをすることができる。
【００３９】
リード線部１３のホルダー部１２側と反対側の端部は、アダプター用端子１７よりホルダー部１２側に、調光部１６が取り付けられている。調光部１６は、調光ギア１６ａによって、無段階式（連続式）に調光が可能である。なお、調光は段階式（非連続式）であってもよい。さらに、光源部１１が、複数色（ＲＧＢ各色）を発光するＬＥＤ素子を有し、照射光の色を任意に変更可能な調色部を備えた構成としてもよい（図示せず）。
【００４０】
図２の状態で、角度調節部１４を軸として光源部１１の角度を回動域Ｒの方向で回動自在に調節し、前記水面の照射位置を任意に決めることができる。なお、図２では、単一の光源部１１を取り付けた状態を示したが、ＲＧＢ各色を発光する単色のＬＥＤ素子を有する光源を複数同期接続し、複数の光源全体を光源部として構成するようにしてもよい（図示せず）。このような構成すれば、各色の光源部を任意の角度で合成可能となり、合成された調色（例えば、日の出、夕焼けに近似した色）で水面を照射することが可能になる。さらに、ＲＧＢのほか、Ｙ等、ほかの色も組み合わせるようにしてもよい。ＲＧＢのみでも、色の合成が可能だが、例えば、ＲＧＢ合成色ではないＹの照射によってサンゴなどの栄養不足を解消させることが可能だからである。
【００４１】
図３は、光源部１１の背面側に着脱自在に装着する放熱部１８である。図３（ａ）は、放熱部１８の側面図、図３（ｂ）は、放熱部１８の上面図である。
【００４２】
光源部１１の光源として、ＬＥＤを使用することが飼育、育成する生体にとっては好適であるが、自然光に近い光を再現するには、高出力のＬＥＤが好ましい。そこで、前記した通り、いわゆるパワーＬＥＤを使用すればよいが、この場合、光源部１１の温度は、６０度〜８０度（さらに、光源部１１のジャンクション温度は、１００度以上になることがあり、この場合は、ＬＥＤの破壊温度となる。）になる。通常の蛍光灯などの照明に比べれば、低温ではあるものの、水槽Ａの素材がアクリル樹脂の場合、６０度前後で軟化するおそれがある。従って、光源部１１の放熱対策は、水槽Ａ内の生体に対する好環境を維持するためにも必須と考えられる。
【００４３】
光源部１１の背面側に、アルミ板などの放熱板１８ａを積層する。放熱板１８ａは高い熱伝導性により、光源部１１で発生した熱を吸収する。放熱板１８ａを含む光源部１１を側面がグリッド状に形成されたヒートシンク１８ｂ内に収納してもよい。放熱板１８ａで吸収された熱は、前記グリッド状の側面から排出される。さらに、ヒートシンク１８ｂの背面（放熱板１８ａの背面方向）に、電動式ファン１８ｃを取り付けてもよい。電動式ファン１８ｃを作動させることにより、外気を吸気してヒートシンク１８ｂ内に送り込み、放熱板１８ａの熱を前記グリッド状の側面から、排気することが可能となる。なお、ヒートシンク１８ｂと電動式ファン１８ｃとは、金属製の弾性クリップ１８ｄによって、掴持固定されている。
【００４４】
弾性クリップ１８ｄは、本実施の形態では、弾性金属線材をコの字状に形成し、開放端側の２つの先端をＵ字状に湾曲させ、閉鎖端側の辺部も、前記Ｕ字状に湾曲された先端に対向する方向にＵ字状に湾曲させる。一方、被取付部は、電動式ファン１８ｃを構成する矩形筐体の四隅に、前記Ｕ字状に形成された弾性クリップ１８ｄの開放端側の先端を挿入する掛止孔を設ける。また、ヒートシンク１８ｂの対向する１対の側面の下端を、前記Ｕ字状に形成された弾性クリップ１８ｄのＵ字状の辺部で掛止可能に、板状体に形成する。弾性クリップ１８ｄを１対用意し、各々、前記開放端側のＵ字状先端を隣接する２つの前記掛止孔に挿入し、弾性金属線材の弾性力によって、当該２つの掛止孔の下方に位置する前記板状体に前記Ｕ字状辺部を掛止することにより、電動式ファン１８ｃとヒートシンク１８ｂとは、掴持固定される。ただし、弾性クリップ１８ｄは、電動式ファン１８ｃの交換を容易にするためのものであり、交換が容易にできるものであれば、本実施の形態に限定する趣旨ではない。
【００４５】
なお、ヒートシンク１８ｂ、電動式ファン１８ｃ及び前記矩形筐体の素材は、好ましくはポリカーボネートである。ポリカーボネートは軟化温度が１２０〜１３０度であり、耐錆性にすぐれているため、本装置の使用環境に好適だからである。ただし、前記素材は、放熱部１８の前記機能を奏するものであれば、ポリカーボネートに限定する趣旨ではない。
【００４６】
図４は、角度調節部１４の一形態を示した部分拡大図である。ホルダー部１２の回動域Ｒの域内、すなわち、角度調節部１４を構成するトルクヒンジを介してホルダー部１２の垂下に、ホルダー部１２を反転したような状態で挟持部１５（第１磁性材料部１５ａ及び第１磁着部１５ｃ）を設けると、光源部１１の回動域を阻害し、照射光の一部を遮断するおそれもある。そこで、前記トルクヒンジの軸部１４ａの長さをホルダー部１２及び挟持部１５の回動軸長さを合わせた長さとし、ホルダー部１２及び挟持部１５を横列状に配列し、回動域Ｒ外に挟持部１５を設けるようにすればよい。
【００４７】
図５は、調光部１６の概略構成例を示した模式図である。本実施形態では、パルス変調を利用したＰＷＭ（Ｐｕｌｓｅ  Ｗｉｄｔｈ  Ｍｏｄｕｌａｔｉｏｎ）調光を例に説明するが、これに限定する趣旨ではない。ただし、光源部１１は、ＬＥＤを利用するため、ＰＷＭ調光が好適である。
【００４８】
商用電源Ｐから調光部１６に電力が供給されると、調光制御スイッチ１６ａ及びＰＷＭ信号発生部１６ｂから、リード線部１３を介して、電源部１１に通常の正弦波交流電圧が印加される。ＰＷＭ調光は、これと同時に、ＰＷＭ信号発生部１６ｂから、専用の信号線１３ａを介して、光源部１１にパルス信号が供給される。光源部１１では、このパルス信号を調光制御の情報として光源に伝達するために、調光制御部１１ａが設けられている。前記パルス信号のオンとオフのＰＷＭ周期から求められるデューティ比を設定することにより、調光の度合を調節することが可能となる。なお、ＰＷＭ制御における周波数を変化させて点滅スピードを変えるように設定することできるようにしてもよい。生体の種類、個体差等により、嗜好する点滅スピードで照射することにより、生育を促進することが可能となる。
【００４９】
図６は、自動制御部１９のブロック構成図である。前記図１及び図２で説明したビバリウム用小型照明装置１の角度調節部１４、調光部１６等の設定は、マニュアルで行うものであるが、これらの調整を時間的に設定し、設定した時間における所定の作動を制御するために、自動制御部１９を接続することができる。自然光の人工的な再現は、具体的には、経時的に変化する光の角度、光量、色調などを再現することであり、自動制御部１９は、これら作用を時間的な設定によって制御するものである。
【００５０】
自動制御部１９は、以下で説明する各種処理手順を定めた組み込みプログラムと、これら組み込みプログラムを制御するオペレーティングシステムと、任意に設定された時間等のデータを格納するメモリと、前記組み込みプログラムを前記格納されたデータに基づいて実行するＣＰＵ（Ｃｅｎｔｒａｌ  Ｐｒｏｃｅｓｓｉｎｇ  Ｕｎｉｔ）を有するものであればよい（図示せず）。
【００５１】
自動制御部１９は、時間を計測する計時部１９ａと、任意の時間設定を行う時間設定部１９ｂを有する。時間設定部１９ｂは、例えば、画面表示で設定可能なユーザインタフェースを備えたものであればよい。自動制御部１９は、具体的には、例えば、前記ユーザインタフェースを備えたコントローラ形式のもののほか、スマートフォンなどの汎用携帯端末に制御用プログラムをインストールし、無線で制御できるような形態であってもよい。
【００５２】
時間設定部１９ｂの設定は、例えば、所定の時間に、光源部１１の調色と、角度調節部１４の角度と、調光部１６の光量などを対応させて入力すればよい。
【００５３】
角度制御部１９ｃは、例えば、前記設定に基づいて角度調節部１４に取り付けたマニピュレータを作動させるように制御すればよい。また、調光制御部１９ｄは、例えば、前記設定に基づいて前記したＰＷＭ調光を制御すればよい。さらに、調色制御部１９ｅは、前記設定に基づいてＲＧＢ値などを制御すればよい。なお、前記各制御は、前記複数の光源を同期接続した場合、各々の光源を個別に制御するようにしてもよい。
【００５４】
なお、前記設定は、角度、光量、調色を個々に数値入力によって行うようにしてもよいが、例えば、所定の数値を早朝モード、昼間モード、夜間モードとしてプリセットし、ユーザは、これを選択するだけで設定可能とするようにしてもよい。また、これらのプリセットデータは、特定の数値で固定的に設定するもののほか、一定時間内に動的に数値変化させる一連のデータ群を含むものであってもよい。このような構成によれば、例えば、早朝モードを選択したときに、所定の角度、光量、調色からスタートして、徐々に各設定量を変化させることが可能となる。
【００５５】
ところで、前記放熱部１８が、不具合により作動しなくなった場合、光源部１１の照射によって水温が上昇し、生体に好ましくない影響を与える可能性がある。そこで、自動制御部１９は、温度センサから成る温度検知部１９ｆと遮断・減光制御部１９ｇを有し、温度検知部１９ｆが、光源部１１（放熱部１８）の温度を計測し、予め設定した閾値を上回る温度になった場合、光源部１１の照射を遮断・減光制御部１９ｇによって遮断又は／及び減光するようにすればよい。遮断・減光制御部１９ｇは、例えば、遮断の場合は、前記検知された閾値データによって作動するブレーカを使用すればよい。また、減光の場合は、電動式ファン１８ｃが、制御可能な状態であれば、ファン回転数を制御するようにしてもよい。さらに、前記遮断と同時に、音声及び／又は画面表示などにより、アラートを表示するようにしてもよい。
【００５６】
図７は、自動制御部１９における前記設定のタイムチャート例を示したものである。横軸は、時間であり、縦軸は設定量（角度、光量、調色）である。時間ｔｍ１で、自動制御部１９がオン状態となり、時間ｔｍ２まで、設定量を漸増させている。時間ｔｍ１から時間ｔｍ２までの変化は、例えば、自然光における日の出から一定高さまで太陽が上昇するイメージで角度、光量、調色を設定すればよい。一定高さに到達すると、時間ｔｎ１まで所定の状態を維持する時間ｔｄとなる。これば自然光における昼間の状態をイメージした角度、光量、調色であればよい。時間ｔｎ１になると、時間ｔｎ２まで、設定量を漸減させている。時間ｔｎ１から時間ｔｎ２までの変化は、例えば、自然光における夕日から日の入りまでのイメージで角度、光量、調色を設定すればよい。なお、時間ｔｎ２以降は、光源部１１を完全に消灯する設定のほか、僅かな光量を残すものであってもよい（Ｍｉｎ設定）。例えば、自然光における月明り程度の設定量とすればよい。
【００５７】
図８は、自動制御部１９の処理フロー例を示した図である。なお、自動制御部１９の処理は、この処理フローに示したものに限定する趣旨ではない。
【００５８】
時間設定部１９ｂ、すなわち、前記したユーザインタフェース（表示画面）で設定モードを選択すると（Ｓ１）、角度、調光、調色の設定が可能な画面に遷移するので、所望の設定を行う（Ｓ２）。この場合、具体的な時間と数値を入力するもののほか、前記の通り、プリセットされた早朝モード、昼間モード、夜間モードなどを選択できるようにしてもよい。
【００５９】
設定モードを終了すると（Ｓ３）、計時部１９ａで計時が開始される（Ｓ４）。計時された時間が、設定された消灯時間（図８の時間ｔｎ２から翌時間ｔｍ１までの間）内かどうか判断し（Ｓ５）、当該消灯時間内である場合（Ｓ５のＹ）、時間ｔｍ１になると、点灯開始モードになり、設定された設定量に基づいて角度制御部１９ｃ、調光制御部１９ｄ、調色制御部１９ｅが作動する（Ｓ６）。このとき、図８で説明した通り、時間ｔｍ１から時間ｔｍ２になるまで設定量が漸増するように作動する。
【００６０】
所定の時間が経過すると、昼間モードになり、設定された設定量に基づいて角度制御部１９ｃ、調光制御部１９ｄ、調色制御部１９ｅが作動し、所定の設定量に到達するとその状態が維持される（Ｓ７）。
【００６１】
前記維持された状態から、計時部１９ａによって、消灯開始時間になったかどうかが判断される（Ｓ８）。消灯時間になっていない場合は（Ｓ８のＮ）、引き続き昼間モードが維持されるが、消灯時間になった場合は（Ｓ８のＹ）、消灯開始モードになり（Ｓ９）、図８で説明した通り、時間ｔｎ１から時間ｔｎ２まで設定量が漸減する。時間ｔｎ２が経過すると、夜間モードになり、光源部１１の照射を完全にオフにするか、若干の光量（Ｍｉｎ設定）で照射する（Ｓ１０）。
【００６２】
Ｓ５において、計時開始後の時間が消灯時間外の場合（Ｓ５のＮ）、当該時間が点灯開始時間内であれば（Ｓ１１のＹ）、昼間モードの状態に制御される（Ｓ７）。一方、当該時間が点灯開始時間外であれば（Ｓ１１のＮ）、さらに、当該時間が、昼間状態の維持時間に該当するかどうかを判断する（Ｓ１２）。昼間状態の維持時間内であれば（Ｓ１２のＹ）、Ｓ８の処理に進む。一方、当該時間が昼間状態の維持時間外の場合（Ｓ１２のＮ）、Ｓ１０の処理に進む。なお、Ｓ１０の処理後は、Ｓ２で設定した内容を維持するのであれば、Ｓ６に進むが（Ｓ１１のＹ）、設定を解除する場合は、処理が終了する。
【００６３】
なお、本実施の形態では、望ましい素材について特に特定していないものもあるが、水槽で照明機器を使用することに鑑みて、防水性、防錆性、耐熱性、耐光性を有するものが好ましい。また、以上の説明は、光源部１１の電源の供給、自動制御部１９の駆動源として、リード線部１３を前提に説明したものになるが、いずれも、ワイヤレス給電による構成としてもよい。この場合、第２磁性材料部１５ｂ及び第２磁着部１５ｄは、リード線部１３が存在しないため、磁着していない状態の場合、単体の構成となる。
【００６４】
以上の通り、ビバリウム用小型照明装置１を使用すれば、どこでも取り付け可能であり、従来のこの種の照明器具に比べて、非常に小型であるにもかかわらず、パワーＬＥＤによる高照度を実現し、ＲＧＢによって高演色を実現することが可能となる一方、通常の蛍光灯などの照明にくらべて、省電力、低ランニングコストを実現することができる。また、小型水槽でも高いレベルの生体飼育が可能となる。さらに、水槽開口部が広くなるので水槽メンテナンスがし易くなるとともに、観賞時の圧迫感がなくなるため、美感を損なわない。
【符号の説明】
【００６５】
１      ビバリウム用小型照明装置
１１    光源部
１２    ホルダー部
１３    リード線部
１４    角度調節部
１５    挟持部
１６    調光部
１７    アダプター用端子
１８    放熱部
１９    自動制御部
【図１】
2019022457.tif 000003
【図２】
2019022457.tif 000004
【図３】
2019022457.tif 000005
【図４】
2019022457.tif 000006
【図５】
2019022457.tif 000007
【図６】
2019022457.tif 000008
【図７】
2019022457.tif 000009
【図８】
2019022457.tif 000010